(57)【要約】【課題】より好適な封止を可能にする。【解決手段】使用する用紙としてロール紙を選択した場合、選択した用紙サイズに対応する長さ（画像形成範囲Ａ）よりも長くロール紙を切断して、封止用余白Ｂを形成できるようにする。画像形成範囲Ａと封止用余白Ｂとの境界には、ミシン目Ｌを形成する。切断された画像形成後の用紙ＰＡの後端部には封止マークＭを印字し、その用紙ＰＡを巻物状にして封止する際には、封止マークＭ上に粘着テープを貼り付ける。【効果】粘着テープを剥がしたときでも、封止用余白Ｂの部分をミシン目Ｌに沿って切り離せば、画像形成時に選択したサイズの用紙とすることができるとともに、粘着テープの貼付跡が用紙後端部に残らない。【選択図】            図７
2004177702.tif 000002
【特許請求の範囲】
【請求項１】
ロール紙に対して画像を形成できる画像形成装置であって、
ロール紙を切断するための用紙切断手段と、
ロール紙を画像形成範囲よりも長い所定の切断位置で切断することにより、切断された画像形成後の用紙を巻物状にして端部を封止するための封止用余白を形成する余白形成制御手段と、
上記所定の切断位置を設定するための切断位置設定手段とを含むことを特徴とする画像形成装置。
【請求項２】
上記余白形成制御手段により上記封止用余白を形成する場合に、上記画像形成範囲と上記封止用余白との境界線を用紙に形成する境界線形成手段をさらに含むことを特徴とする請求項１記載の画像形成装置。
【請求項３】
上記境界線形成手段は、切断された画像形成後の用紙を上記画像形成範囲と上記封止用余白とに切り離すことができるように案内するための切れ目を、上記画像形成範囲と上記封止用余白との境界に形成する切れ目形成手段を含むことを特徴とする請求項２記載の画像形成装置。
【請求項４】
切断された画像形成後の用紙を巻物状にして封止する際の封止位置を表すマークを用紙端部に形成する封止用マーク形成手段をさらに含むことを特徴とする請求項１〜３のいずれかに記載の画像形成装置。
【発明の詳細な説明】
【０００１】
【発明の属する技術分野】
この発明は、複写機などの画像形成装置に関し、特に、ロール紙に対して画像を形成できる画像形成装置に関する。
【０００２】
【従来の技術】
従来から、たとえば日本工業規格（ＪＩＳ）のＡ列１番（「Ａ１」という。以下同様。）以上の幅広サイズの用紙に画像を形成することができる画像形成装置が知られている。幅広サイズの用紙は取扱いが不便であるため、この種の画像形成装置の中には、巻物状に巻かれた長尺な帯状の用紙（ロール紙）を適用可能となっているものがある（たとえば、特許文献１参照）。
【０００３】
ロール紙は、たとえば画像形成時に、画像形成装置内に備えられたカッタ機構により、選択された用紙サイズに対応する長さに切断される。切断された画像形成後の用紙は、保管の便宜のために、巻物状に巻かれて、その用紙端部に粘着テープなどが貼り付けられることにより封止される場合がある。
【０００４】
【特許文献１】
特開平５−６０４２号公報
【０００５】
【発明が解決しようとする課題】
しかしながら、封止のために画像形成後の用紙の端部に粘着テープを貼り付けると、その粘着テープを剥がした際に、用紙に粘着テープの貼付跡が残るという問題があった。
この発明は、かかる背景のもとでなされたもので、より好適な封止を可能とする画像形成装置を提供することを目的とする。
【０００６】
【課題を解決するための手段および発明の効果】
上記目的を達成するための請求項１記載の発明は、ロール紙（Ｐ）に対して画像を形成できる画像形成装置（１）であって、ロール紙を切断するための用紙切断手段（９，９１）と、ロール紙を画像形成範囲（Ａ）よりも長い所定の切断位置で切断することにより、切断された画像形成後の用紙（ＰＡ）を巻物状にして端部を封止するための封止用余白（Ｂ）を形成する余白形成制御手段（１０１，Ｔ７）と、上記所定の切断位置を設定するための切断位置設定手段（１１，１０１，Ｔ１）とを含むことを特徴とする画像形成装置である。
【０００７】
たとえば、上記画像形成装置は、ロール紙を収容する用紙収容部（４２，４３）と、ロール紙に対して画像を形成する画像形成部（５）と、上記用紙収容部から上記画像形成部へと用紙を搬送するための用紙搬送路（７）とを含む画像形成手段を備えていて、上記用紙切断手段（９，９１）は、上記用紙搬送路の途中部に配置されている。
なお、括弧内の英数字は、後述の実施形態における対応構成要素などを表す。以下、この項において同じ。
【０００８】
この構成によれば、上記余白形成制御手段により用紙に封止用余白を形成した場合には、切断された画像形成後の用紙が選択された用紙サイズ（画像形成範囲）よりも長くなり、その用紙を巻物状にして用紙端部に粘着テープなどを貼り付けることにより、封止を行うことができる。この場合、粘着テープを剥がしたときでも、封止用余白の部分を切り離せば、画像形成時に選択したサイズの用紙とすることができるとともに、粘着テープの貼付跡が用紙端部に残らないので、より好適な封止が可能である。
【０００９】
また、切断位置設定手段により封止用余白の長さを設定することができるので、切断された画像形成後の用紙を巻物状に巻いたときの外周よりも封止用余白の長さが長くなるように設定すれば、端部まで巻物状に巻いた用紙の外周全体が封止用余白で覆われることとなる。この場合、用紙端部に粘着テープを貼り付けても、粘着テープが封止用余白にしか付着しないので、粘着テープを剥がした後、封止用余白の部分を切り離せば、粘着テープの貼付跡が用紙に全く残らない。したがって、さらに好適な封止が可能である。
【００１０】
請求項２記載の発明は、上記余白形成制御手段（１０１，Ｔ７）により上記封止用余白（Ｂ）を形成する場合に、上記画像形成範囲（Ａ）と上記封止用余白との境界線（たとえば、点線や切れ目など）を用紙（ＰＡ）に形成する境界線形成手段（９，９２，１０１，Ｔ６）をさらに含むことを特徴とする請求項１記載の画像形成装置（１）である。
この構成によれば、境界線に沿って封止用余白の部分を切り離すことにより、容易に選択したサイズの用紙とすることができるので、より好適な封止が可能である。
【００１１】
この場合、請求項３記載の発明のように、上記境界線形成手段（９，９２，１０１，Ｔ６）は、切断された画像形成後の用紙（ＰＡ）を上記画像形成範囲（Ａ）と上記封止用余白（Ｂ）とに切り離すことができるように案内するための切れ目を、上記画像形成範囲と上記封止用余白との境界に形成する切れ目形成手段を含むものであれば、画像形成範囲に対して封止用余白の部分を切れ目に沿って容易に切り離して、選択したサイズの用紙とすることができるので、さらに好適な封止が可能である。
【００１２】
上記切れ目は、上記境界に沿って断続的に延びる切れ目（ミシン目Ｌ）であってもよいし、上記境界に沿って連続的に延びる切れ目（たとえば、用紙幅方向一方側から上記境界に沿って延びる切れ目や、用紙幅方向両側から上記境界に沿って延びる切れ目など）であってもよい。
また、上記切れ目形成手段は、上記用紙搬送路の途中部に配置されていてもよい。
【００１３】
請求項４記載の発明は、切断された画像形成後の用紙（ＰＡ）を巻物状にして封止する際の封止位置を表すマーク（Ｍ）を用紙端部に形成する封止用マーク形成手段（５，１０１，Ｔ８）をさらに含むことを特徴とする請求項１〜３のいずれかに記載の画像形成装置である。
この構成によれば、用紙端部に形成された封止用マーク上に粘着テープを貼り付けることにより、巻物状にした用紙の端部を容易に封止することができるので、より好適な封止が可能である。
【００１４】
【発明の実施の形態】
以下には、図面を参照して、この発明の実施形態について具体的に説明する。
図１は、この発明の一実施形態に係る画像形成装置１の構成を示す概略断面図である。なお、図１において右側を前方、左側を後方として説明する。
この画像形成装置１は、たとえば、日本工業規格（ＪＩＳ）のＡ列０番（「Ａ０」という。以下同様。）までの幅広サイズの用紙に対して画像形成（印字）を行うことができる複写機である。画像形成装置１は、たとえば、その外形を略直方体形状のハウジング２により区画されており、原稿の画像を読み取るための原稿読取部３、使用する用紙を収容するための用紙収容部４１，４２，４３、搬送されてくる用紙に原稿読取部３で読み取った原稿の画像に基づくトナー像を転写するための画像形成部５、および用紙に転写されたトナー像を定着させるための定着装置６などを備えている。
【００１５】
原稿読取部３には、たとえば、左右方向に沿って互いに平行に延びる２つの原稿搬送ローラ３２が備えられている。ハウジング２の上面には、原稿をセットするための載置台２１が設けられていて、原稿は、その画像が下方を向くように載置台２１上にセットされる。載置台２１上に原稿をセットした状態で、操作者が、当該画像形成装置１の画像形成動作を開始させるための操作（たとえば、ハウジング２の上面に配置された操作パネル１１（図３参照）のスタートキーの押操作）を行うと、載置台２１上にセットされた原稿が原稿搬送ローラ３２により前方側から後方へと搬送される。
【００１６】
原稿は、原稿搬送ローラ３２により後方へと搬送される過程で、透明なコンタクトガラス（図示せず）上を通過する。このコンタクトガラスの下方はスキャナ３１が配置されており、このスキャナ３１により、コンタクトガラス上を通過する原稿の画像を下方から読み取ることができるようになっている。
また、スキャナ３１の上方には、たとえば、左右方向に延びる押えローラ３３が、コンタクトガラスに上方から対向するように配置されている。この押えローラ３３は、コンタクトガラス上を通過する原稿がコンタクトガラスの表面から浮かないように押え付けるためのものである。
【００１７】
使用する用紙は、たとえば、上下に並べて配置された３つの用紙収容部（上段の用紙収容部４１、中段の用紙収容部４２、下段の用紙収容部４３）に収容することができる。たとえば、上段の用紙収容部４１には、所定のサイズに予め切断された用紙（カット紙）を収容可能であって、中段および下段の用紙収容部４２，４３には、巻物状に巻かれた長尺な帯状の用紙（ロール紙Ｐ）を収容可能である。各用紙収容部４１〜４３には、それらの用紙収容部４１〜４３に収容されている用紙を送り出すための給紙ローラ４１１，４２１，４３１が備えられている。
【００１８】
用紙収容部４１〜４３の後側には、たとえば、各用紙収容部４１〜４３から給紙ローラ４１１〜４２１により送り出された用紙をハウジング２内の上部に配置された画像形成部５へと案内するための用紙搬送路７が、上下方向に延びている。用紙搬送路７の途中には、用紙を搬送するための用紙搬送ローラ７１１，７１２、および用紙を画像形成部５に向けて所定のタイミングで送り出すためのレジストローラ７２が配置されている。
【００１９】
画像形成部５は、たとえば、図１における反時計回りに回転駆動される略円筒形状の感光体５１の他、メインチャージャ５２、ＬＥＤプリントヘッド５３、現像装置５４、転写装置５５およびクリーニング装置５６などを備えている。
画像形成時には、まず、感光体５１の表面が、メインチャージャ５２の放電によって一様に帯電される。この帯電された感光体５１の表面に対して、スキャナ３１で読み取った原稿の画像に基づく照射光がＬＥＤプリントヘッド５３から照射されることにより、感光体５１の表面が選択的に露光される。これにより、感光体５１の表面には、いわゆる静電潜像が形成される。そして、静電潜像が形成された感光体５１の表面には、現像装置５４によりトナーが付着され、用紙に転写すべきトナー像が形成される。
【００２０】
画像形成時に、選択されたいずれかの用紙収容部４１〜４３から用紙搬送路７を通って画像形成部５側に送られてきた用紙は、その先端がレジストローラ７２に到達した時点で一旦停止される。そして、上記態様で感光体５１の表面に形成されたトナー像が転写装置５５に対向する位置にくるタイミングと、用紙が転写位置（感光体５１と転写装置５５との間）に到達するタイミングとが合うように、レジストローラ７２の回転が再開されることにより、感光体５１の表面に形成されたトナー像が用紙に転写される。
【００２１】
トナー像転写後の用紙は、定着装置６へと導かれ、この定着装置６により所定の定着処理がなされた後、排出ローラ８から機外に排出される。また、トナー像転写後の感光体５１の表面に残留しているトナーは、クリーニング装置５６により回収される。
用紙搬送路７の途中部には、たとえば用紙搬送ローラ７１１，７１２間に、カッタ機構９が配置されている。使用する用紙としてロール紙Ｐを選択した場合には、このカッタ機構９の働きにより、中段または下段の用紙収容部４２，４３から画像形成部５に向けて送り出されたロール紙Ｐが、用紙搬送路７内を搬送される過程で所定の長さに切断される。
【００２２】
一方、使用する用紙としてカット紙を選択した場合には、上段の用紙収容部４１から画像形成部５に向けて送り出されたカット紙に対するカッタ機構９による処理は行われない。
図２は、カッタ機構９による処理の態様を説明するための概念図である。
カッタ機構９は、たとえば、ロール紙Ｐを切断するための切断用カッタ９１（図２（ａ）参照）と、ロール紙Ｐに対して切れ目（ミシン目）を形成するためのミシン目用カッタ９２（図２（ｂ）参照）とを備えている。
【００２３】
切断用カッタ９１は、たとえば、周縁が刃状に形成された円板状部材であって、回転軸９１１に対して回転可能に取り付けられている。この切断用カッタ９１は、用紙搬送方向（上下方向）に対して直交するように配置されている。そして、回転軸９１１が用紙幅方向（左右方向）に変位されることにより、切断用カッタ９１が用紙搬送路７を横切り、これにより、ロール紙Ｐが切断されるようになっている。
【００２４】
ミシン目用カッタ９２は、たとえば、周縁が鋸歯状に形成された略円板状部材であって、回転軸９２１に対して回転可能に取り付けられている。ミシン目用カッタ９２は、用紙搬送方向（上下方向）に対して直交するように配置され、その鋸歯状部が用紙搬送路７に突出している。そして、回転軸９２１が用紙幅方向（左右方向）に変位されることにより、ミシン目用カッタ９２が用紙搬送路７を横切り、これにより、ロール紙Ｐにミシン目用カッタ９２の周縁の鋸歯状に形成された部分に対応する断続的な切り目が入って、ミシン目Ｌ（図７参照）が形成されるようになっている。
【００２５】
ロール紙Ｐに対してカッタ機構９による処理（切断またはミシン目Ｌの形成）を行う際には、用紙搬送ローラ７１１，７１２の駆動が一定時間だけ停止されるようになっている。これは、用紙搬送ローラ７１１，７１２によりロール紙Ｐを搬送しながら、用紙搬送方向に直交する用紙幅方向に沿って切断用カッタ９１またはミシン目用カッタ９２を変位させると、用紙幅方向に対して傾斜した方向にロール紙Ｐが切断され、またはミシン目Ｌが形成されてしまうからである。用紙搬送ローラ７１１，７１２の駆動を一定時間（切断またはミシン目Ｌの形成に要する時間）だけ停止させて、カッタ機構９による処理を行うことにより、用紙幅方向に沿って良好にロール紙Ｐの切断またはミシン目Ｌの形成を行うことができる。
【００２６】
一方、上記のように用紙搬送ローラ７１１，７１２の駆動を停止させた状態でも、画像形成動作（感光体５１の回転）は継続されるので、レジストローラ７２から画像形成部５へのロール紙Ｐの搬送を停止させることはできない。そこで、この実施形態では、レジストローラ７２と用紙搬送ローラ７１２との間のロール紙Ｐを予め撓ませておいて、カッタ機構９による処理を行う際には、用紙搬送ローラ７１１，７１２を停止させた状態でレジストローラ７２の回転を継続させることにより、撓んでいる部分のロール紙Ｐを画像形成部５に向けて搬送することができるようになっている。これにより、画像形成部５における画像形成動作を停止させることなく、カッタ機構９によるロール紙Ｐに対する処理を行うことができる。
【００２７】
図３は、画像形成装置１の電気的構成を示すブロック図である。
画像形成装置１内には、当該画像形成装置１全体を制御するための制御部１０が備えられている。制御部１０は、たとえば、ＣＰＵ１０１およびメモリ１０２を含むマイクロコンピュータなどにより構成されている。
制御部１０には、原稿読取部３、画像形成部５、定着装置６、カッタ機構９および操作パネル１１の他、各種ローラ（給紙ローラ４１１〜４３１、用紙搬送ローラ７１１，７１２、レジストローラ７２など）を回転駆動させるためのローラ駆動機構１２や、用紙搬送路７内を通過する用紙の先端および後端を検知するための用紙センサ７３などが電気的に接続されている。
【００２８】
操作パネル１１には、たとえば、スタートキーなどを含む入力操作を行うためのキー入力部１１１や、所定の表示内容（画像形成装置１の動作状況や設定内容など）を表示するための表示部１１２が備えられている。
また、ＣＰＵ１０１は、用紙センサ７３により用紙の先端または後端を検知してからの時間に基づいて、搬送中の用紙の位置を検出できるようになっている。
図４は、ロール紙Ｐを用いて画像形成を行う場合のＣＰＵ１０１による制御内容を示すフローチャートである。
【００２９】
操作者は、当該画像形成装置１における画像形成動作を開始する前に、操作パネル１１を操作して各種設定（用紙のサイズや種類の設定など）を行う。この実施形態では、使用する用紙としてロール紙Ｐを選択した場合、たとえば、選択された用紙サイズに対応する長さでロール紙Ｐを切断するモード（通常モード）と、選択された用紙サイズよりも長い所定の切断位置でロール紙Ｐを切断するモード（封止モード）とを選択できるようになっている。
【００３０】
封止モードを選択した場合には、切断された画像形成後の用紙ＰＡが選択された用紙サイズ（画像形成範囲Ａ）よりも長くなり、その用紙ＰＡの後端部に余白（封止用余白Ｂ）が形成される（図７参照）。したがって、切断された画像形成後の用紙ＰＡを巻物状にして、その用紙後端部に粘着テープなどを貼り付けることにより、封止を行うことができる。この場合、粘着テープを剥がしたときでも、封止用余白Ｂの部分を切り離せば、画像形成時に選択したサイズの用紙とすることができるとともに、粘着テープの貼付跡が用紙後端部に残らないので、より好適な封止が可能である。
【００３１】
ＣＰＵ１０１は、操作パネル１１に備えられたスタートキーが押操作されるか否かを監視していて（ステップＳ３）、スタートキーが押操作される前に封止モードが選択された場合には（ステップＳ１でＹＥＳ）、操作パネル１１の表示部１１２に封止用余白Ｂの長さを設定するための画面（余白設定画面）を表示させる（ステップＳ２）。操作者は、封止モードで画像形成動作を行いたい場合には、封止モードを選択して、余白設定画面で封止用余白Ｂの長さを任意に設定した後、スタートキーを押操作することとなる。一方、通常モードで画像形成動作を行いたい場合には、操作者は、封止モードを選択することなく、スタートキーを押操作する。
【００３２】
スタートキーが押操作されると（ステップＳ３でＹＥＳ）、ＣＰＵ１０１は、原稿読取部３により原稿の画像を読み取り、その画像データをメモリ１０２に記憶させた後（ステップＳ４）、その読み取った原稿の画像データに基づいて、画像形成部５による画像形成動作を開始する（ステップＳ５）。
そして、ＣＰＵ１０１は、封止モードが選択されている場合には（ステップＳ６でＹＥＳ）、封止モードで画像形成動作を行い（ステップＳ７）、封止モードが選択されていない場合には（ステップＳ６でＮＯ）、通常モードで画像形成動作を行う（ステップＳ８）。
【００３３】
図５は、封止モードにおけるＣＰＵ１０１の制御内容を示すフローチャートである。封止モードでは、ＣＰＵ１０１は、まず、画像形成動作中のロール紙Ｐの切断位置を、選択された用紙サイズに対応する長さに余白設定画面で設定された封止用余白Ｂの長さを加えた長さに設定する（ステップＴ１）。
その後、ＣＰＵ１０１は、画像形成動作が終了するまで（ステップＴ５でＹＥＳとなるまで）、用紙センサ７３からの検知信号に基づいて、画像形成範囲Ａと封止用余白Ｂとの境界（選択された用紙サイズの長さに対応する位置）がカッタ機構９に到達するか否か（ステップＴ２）、ロール紙Ｐの切断位置（上記境界から封止用余白Ｂの長さ分だけ送った位置）がカッタ機構９に到達するか否か（ステップＴ３）、および切断された用紙ＰＡの後端部（上記境界から封止用余白Ｂの長さ分だけ送った位置よりも若干短い位置）が画像形成部５に到達するか否か（ステップＴ４）を監視しつつ画像形成動作を行う。
【００３４】
画像形成範囲Ａと封止用余白Ｂとの境界がカッタ機構９に到達した場合には（ステップＴ２でＹＥＳ）、ＣＰＵ１０１は、カッタ機構９のミシン目用カッタ９２を駆動させることにより、境界上にミシン目Ｌを形成させる（ステップＴ６）。また、ロール紙Ｐの切断位置がカッタ機構９に到達した場合には（ステップＴ３でＹＥＳ）、ＣＰＵ１０１は、カッタ機構９の切断用カッタ９１を駆動させることにより、ロール紙Ｐを切断位置で切断する（ステップＴ７）。カッタ機構９によりロール紙Ｐに対する切断またはミシン目Ｌの形成を行う際には、上述したように、レジストローラ７２と用紙搬送ローラ７１２との間のロール紙Ｐが予め撓ませられた後、用紙搬送ローラ７１１，７１２を停止させた状態で、切断用カッタ９１またはミシン目用カッタ９２が駆動される。
【００３５】
一方、切断された用紙ＰＡの用紙後端部が画像形成部５に到達した場合には（ステップＴ４でＹＥＳ）、ＣＰＵ１０１は、切断された画像形成後の用紙ＰＡを封止する際に粘着テープを貼り付ける位置を表す目印（封止マークＭ；図７参照）を用紙後端部の所定位置に印字する（ステップＴ８）。
図６は、通常モードにおけるＣＰＵ１０１の制御内容を示すフローチャートである。通常モードでは、ＣＰＵ１０１は、まず、画像形成動作中のロール紙Ｐの切断位置を、選択された用紙サイズに対応する長さに設定する（ステップＥ１）。
【００３６】
その後、ＣＰＵ１０１は、画像形成動作が終了するまで（ステップＥ３でＹＥＳとなるまで）、用紙センサ７３からの検知信号に基づいて、ロール紙Ｐの切断位置がカッタ機構９に到達するか否か（ステップＥ２）を監視しつつ画像形成動作を行う。
ロール紙Ｐの切断位置がカッタ機構９に到達した場合には（ステップＴ３でＹＥＳ）、ＣＰＵ１０１は、カッタ機構９の切断用カッタ９１を駆動させることにより、ロール紙Ｐを切断位置で切断する（ステップＴ７）。この際、上述したように、レジストローラ７２と用紙搬送ローラ７１２との間のロール紙Ｐが予め撓ませられた後、用紙搬送ローラ７１１，７１２を停止させた状態で、切断用カッタ９１が駆動される。
【００３７】
図７は、封止モードで画像形成を行った場合の画像形成後の用紙ＰＡの態様を示す概略図である。
図７に示すように、封止モードによる画像形成後（切断後）の用紙ＰＡには、画像形成範囲Ａと封止用余白Ｂとの境界に、用紙幅方向に延びるミシン目Ｌが形成される。したがって、封止された粘着テープを剥がした場合に、画像形成範囲Ａに対して封止用余白Ｂの部分をミシン目Ｌに沿って容易に切り離して、選択したサイズの用紙とすることができるので、好適な封止が可能である。
【００３８】
また、切断された画像形成後の用紙ＰＡの後端部には、たとえば、２つの封止用マークＭが幅方向に並べて印字されている。これらの封止用マークＭ上に粘着テープを貼り付ければ、巻物状にした用紙ＰＡの後端部を容易に封止することができるので、より好適な封止が可能である。
余白設定画面において、切断された画像形成後の用紙ＰＡを巻物状に巻いたときの外周よりも封止用余白Ｂの長さが長くなるように設定すれば、後端部まで巻物状に巻いた用紙ＰＡの外周全体が封止用余白Ｂで覆われることとなる。この場合、用紙後端部に粘着テープを貼り付けても、粘着テープが封止用余白Ｂにしか付着しないので、粘着テープを剥がした後、封止用余白Ｂの部分をミシン目Ｌに沿って切り離せば、粘着テープの貼付跡が用紙に全く残らない。したがって、さらに好適な封止が可能である。
【００３９】
この発明は、以上の実施形態の内容に限定されるものではなく、請求項記載の範囲内において種々の変更が可能である。
たとえば、画像形成装置１は、画像形成範囲Ａと封止用余白Ｂとの境界上に、カッタ機構９によりミシン目Ｌを形成させるミシン目形成制御手段を含む構成に限らず、画像形成部５において境界線を表すマーク（点線など）を形成する境界線形成制御手段を含むような構成であってもよい。この場合、粘着テープを剥がした後、封止用余白Ｂの部分を境界線マークに沿って切り離せば、容易に選択したサイズの用紙とすることができる。
【００４０】
また、画像形成手段は、上記ミシン目形成制御手段および上記境界線形成制御手段の双方を備え、画像形成範囲Ａと封止用余白Ｂとの境界上に、ミシン目および境界線マークの双方が形成されるようになっていてもよい。
原稿読取部３には、原稿のサイズを検知するためのセンサが備えられていてもよい。この場合、上記センサで検知した原稿のサイズに応じた長さでロール紙Ｐを切断する切断位置自動設定手段を含むような構成であってもよい。この場合、規格外のサイズの原稿の画像を読み取った場合でも、その画像をロール紙Ｐに対して画像形成することができる。
【００４１】
封止用マークＭは、画像形成部５で切断後の用紙ＰＡに印字される構成に限らず、他の封止用マーク形成手段により用紙ＰＡに形成される（たとえば、カッタ機構９により封止用マークとしての切れ目を入れるなど）ようになっていてもよい。
この発明の一実施形態として、Ａ０サイズまでの幅広の用紙に対して画像形成を行うことができる複写機１について説明したが、この発明は、主にＡ４サイズやＢ５サイズの用紙に対して画像形成を行う一般的な複写機にも適用可能である。
【００４２】
また、この発明は、原稿の画像を読み取って、その画像データに基づく画像形成を行う複写機に限らず、プリンタやファクシミリのように、外部から受信した画像データに基づいて画像形成を行う他の画像形成装置にも適用可能である。
【図面の簡単な説明】
【図１】この発明の一実施形態に係る画像形成装置の構成を示す概略断面図である。
【図２】カッタ機構による処理の態様を説明するための概念図である。
【図３】画像形成装置の電気的構成を示すブロック図である。
【図４】ロール紙を用いて画像形成を行う場合のＣＰＵによる制御内容を示すフローチャートである。
【図５】封止モードにおけるＣＰＵの制御内容を示すフローチャートである。
【図６】通常モードにおけるＣＰＵの制御内容を示すフローチャートである。
【図７】封止モードで画像形成を行った場合の画像形成後の用紙の態様を示す概略図である。
【符号の説明】
１  画像形成装置
５  画像形成部
９  カッタ機構
９１  切断用カッタ
９２  ミシン目用カッタ
１０  制御部
１０１  ＣＰＵ
１１  操作パネル
Ｐ  ロール紙
ＰＡ  （切断後の）用紙
Ａ  画像形成範囲
Ｂ  封止用余白
Ｍ  封止用マーク
Ｌ  ミシン目
【図１】
2004177702.tif 000003
【図２】
2004177702.tif 000004
【図３】
2004177702.tif 000005
【図４】
2004177702.tif 000006
【図５】
2004177702.tif 000007
【図６】
2004177702.tif 000008
【図７】
2004177702.tif 000009